(57)【特許請求の範囲】
【請求項１】
電子機器を設置する設置部を有する筐体と、前記電子機器が前記設置部に設置された際に前記電子機器を充電する充電機構とを備える充電台であって、
前記筐体の背面に、前記筐体の前端部の形状に適合し前記筐体の前端部を収容することが可能な形状の収容凹部を備えていることを特徴とする充電台。
【請求項２】
前記筐体の底面に、前記充電台に接続される電源コードを巻き付けるためのコード巻き付け構造を備えていることを特徴とする請求項１に記載の充電台。
【発明の詳細な説明】
【技術分野】
【０００１】
本発明は、電子機器の充電に用いられる充電台に関する。
【背景技術】
【０００２】
従来、電子機器を設置する設置部を有する筐体と、電子機器が設置部に設置された際に電子機器を充電する充電機構とを備える充電台が知られている（例えば、特許文献１参照。）。
【０００３】
この特許文献１に記載の充電台は、筐体の背面に設けられた電源コネクタに接続された電源コードにより電力供給を受けている。
【先行技術文献】
【特許文献】
【０００４】
【特許文献１】特開２０１０−２０６８８１号公報
【発明の概要】
【発明が解決しようとする課題】
【０００５】
ところが、特許文献１に記載されるような充電台では、例えば使用者の手が電源コードに引っ掛かった場合や電源コードが引っ張られた場合などに、電源コードに対して不測の力が加わることがあり、その結果、前記力が充電台と電源コードとの連結部（特許文献１の場合、電源コネクタおよび接続プラグ）に対して直接的に伝わり、充電台と電源コードとの連結部に損傷が生じたり、充電台から電源コードが抜けてしまったりすることがあるという問題があった。
【０００６】
そこで、本発明は、従来の問題を解決するものであって、すなわち、本発明の目的は、簡便な構造で、電源コードに加わった力が充電台と電源コードとの連結部分に直接的に伝わることを防止する充電台を提供することである。
【課題を解決するための手段】
【０００７】
本発明の充電台は、電子機器を設置する設置部を有する筐体と、前記電子機器が前記設置部に設置された際に前記電子機器を充電する充電機構とを備える充電台であって、前記筐体の背面に、前記筐体の前端部の形状に適合し前記筐体の前端部を収容することが可能な形状の収容凹部を備えていることにより、前述した課題を解決したものである。
【発明の効果】
【０００８】
本発明では、簡便な構造で、電源コードに加わった力が充電台と電源コードとの連結部分に直接的に伝わることを防止できる。
【図面の簡単な説明】
【０００９】
【図１】本発明の一実施例である充電台を示す斜視図である。
【図２】充電台に電子機器を設置した状態を示す斜視図である。
【図３】充電台にＡＣアダプタユニットを取り付けた状態を示す斜視図である。
【図４】充電台を右側面から見て示す平面図および一部拡大図である。
【図５】充電台を背面から見て示す平面図および一部拡大図である。
【図６】充電台を底面から見て示す平面図および一部拡大図である。
【図７】図６のＡ−Ａ線位置で矢印方向に見て示す充電台の断面図および一部拡大図である。
【図８】固定部を示す斜視図である。
【図９】固定部を開放した状態を示す斜視図である。
【図１０】充電台に対するＡＣアダプタユニットの取り付けの一態様を示す斜視図である。
【図１１】図１０に示す状態を充電台の底面から見て示す平面図である。
【図１２】充電台に対するＡＣアダプタユニットの取り付けの他の態様を充電台の底面から見て示す平面図である。
【図１３】複数の充電台を前後方向に並べて配置した状態を示す斜視図である。
【図１４】図１３に示す状態を充電台の底面から見て示す平面図である。
【図１５】複数の充電台を前後方向に並べて配置し、複数の充電台に電子機器を設置した状態を示す斜視図である。
【発明を実施するための形態】
【００１０】
以下、本発明の一実施例である充電台を図面に基づいて説明する。
【実施例】
【００１１】
本発明の一実施例である充電台１００は、図１乃至図５に示すように、設置された電子機器３００を所定姿勢で支持するとともに、充電台１００に取り付けられたＡＣアダプタユニット２００から電源供給を受け、電子機器３００の二次電池（図示しない）に電源供給して充電するものである。
【００１２】
充電台１００は、筐体１１０と、充電端子１２０と、電源コネクタ１３０と、コード巻き付け構造１４０と、固定部１５０と、脚部１６０と、収容凹部１７０とを備えている。
【００１３】
筐体１１０は、図１に示すように、台座部１１１と、台座部１１１の上面に形成され電子機器３００の設置時に電子機器３００の前面側に位置する前面支持部１１２と、台座部の上面に形成され電子機器３００の設置時に電子機器３００の背面側に位置する背面支持部１１３と、前面支持部１１２と背面支持部１１３との間に形成され電子機器３００を設置する設置部１１４とを有している。
【００１４】
充電端子１２０は、図１に示すように、前面支持部１１２と背面支持部１１３との間の領域において台座部１１１の上面に配置され、設置部１１４への電子機器３００の設置時に、電子機器３００の充電端子（図示しない）に接触する位置に設けられている。充電端子１２０は、筐体１１０の内部に配置された基板（図示しない）上に実装され、当該基板（図示しない）および充電端子１２０は、筐体１１０の内部に配置された導通部材（図示しない）によって電源コネクタ１３０に接続されている。筐体１１０の内部には、充電台１００の重量調整用の重りも配置されている。
【００１５】
電源コネクタ１３０は、図１に示すように、筐体１１０の側面（側部外面）に配置され、図３に示すように、ＡＣアダプタユニット２００の接続プラグ２３０を着脱可能に嵌合させるように構成されている。
【００１６】
コード巻き付け構造１４０は、図４乃至図７に示すように、筐体１１０の底面（底部外面）１１５に配置され、図１０などに示すように、第１の電源コード２２０の一部を巻き付けることを可能にするために設けられたものである。
【００１７】
コード巻き付け構造１４０は、図４乃至図７に示すように、コード収容凹部１４１と、コード巻き付け部１４２と、鍔部材１４３と、固定ネジ１４４とを備えている。
【００１８】
コード収容凹部１４１は、図４乃至図７に示すように、筐体１１０の底面１１５に凹設されている。コード収容凹部１４１は、図６に示すように、筐体１１０の底面１１５側から見た場合に円形状に形成され、図７に示すように、下方から上方に向けて縮径するテーパ状の内周面を有している。コード収容凹部１４１は、図７などに示すように、コード巻き付け部１４２を取り囲んでいる。なお、筐体１１０の底面１１５は、コード収容凹部１４１以外の箇所を除いて、概ね平坦に形成されている。
【００１９】
コード巻き付け部１４２は、図７に示すように、コード収容凹部１４１の凹部底面の中央から下方に向けて突出した円筒状の部分である。コード巻き付け部１４２は、円筒状の外周面を有している。コード巻き付け部１４２は、図７に示すように、筐体１１０の底面１１５より下方に突出している。
【００２０】
鍔部材１４３は、図７に示すように、コード巻き付け部１４２の下端側に配置され、固定ネジ１４４により筐体１１０に固定されている。鍔部材１４３は、図６に示すように、筐体１１０の底面１１５側から見た場合に、コード巻き付け部１４２の外周面より水平方向外側に位置する円環状の鍔部１４３ａを有している。鍔部１４３ａの上面は、コード収容凹部１４１の凹部底面に対向している。
【００２１】
コード収容凹部１４１の内周面、コード巻き付け部１４２の外周面、鍔部１４３ａの外周面は、それぞれ、上下方向に延びる共通の軸を中心として、同心円状に形成されている。
【００２２】
コード巻き付け構造１４０の各部の寸法を、図７に基づいて説明する。
コード収容凹部１４１の凹部底面と筐体１１０の底面１１５との上下方向の間隔Ｗ１は、第１の電源コード２２０の直径より小さく設定されている。
鍔部１４３ａの上面と筐体１１０の底面１１５との上下方向の間隔Ｗ２は、第１の電源コード２２０の直径より僅かに大きく設定されている。
鍔部１４３ａの上面とコード収容凹部１４１の凹部底面との上下方向の間隔Ｗ３は、第１の電源コード２２０の直径の２倍より小さく設定されている。
コード巻き付け部１４２の外周面から鍔部１４３ａの外縁（最外縁）までの水平方向の寸法Ｗ４は、第１の電源コード２２０の直径より大きく設定されている。
鍔部１４３ａの外周縁とコード収容凹部１４１の外周縁との間の間隔Ｗ５、換言すると、図７に示すように水平方向に延びる軸に直交する平面で断面視した場合における、鍔部１４３ａの外周縁と、筐体１１０の底面１１５と同一平面上におけるコード収容凹部１４１の外周縁との間隔Ｗ５は、第１の電源コード２２０の直径より大きく設定されている。
コード収容凹部１４１の外周縁の半径Ｗ７、換言すると、筐体１１０の底面１１５と同一平面上におけるコード収容凹部１４１の外周縁の半径Ｗ７は、鍔部１４３ａの外周縁の半径Ｗ６より大きく設定されている。
【００２３】
固定部１５０は、図５や図６に示すように、筐体１１０の底面１１５における筐体１１０の左右両側部の付近にそれぞれ配置され、第１の電源コード２２０を着脱可能に固定するものである。
【００２４】
固定部１５０は、図８や図９に示すように、第１の電源コード２２０を取り囲んで保持するホルダ部１５１と、ホルダ部１５１の一端に形成された弾性の被係止部１５２と、ホルダ部１５１の他端に形成され被係止部１５２を着脱可能に係止する係止部１５３と、筐体１１０の底面１１５に取り付けられる取付部１５４とを有している。
【００２５】
脚部１６０は、図５や図６に示すように、筐体１１０の底面１１５の四隅にそれぞれに取り付けられている。設置面に対する充電台１００の設置時には、図５や図７に示すように、脚部１６０以外の構成部材、例えば、筐体１１０の底面１１５、固定部１５０、鍔部材１４３などは設置面に接触しない。
【００２６】
収容凹部１７０は、図１０や図１１に示すように、筐体１１０の背面に形成され、筐体１１０の前端部の形状に適合する形状を有している。収容凹部１７０は、図１３や図１４に示すように、複数の充電台１００を前後方向に複数並べて配置した際に、後方に配置された充電台１００の筐体１１０の前端部を収容するように構成されている。これら複数の充電台１００は、収容凹部１７０の左右の内側面１７１によって、左右方向への相対的なズレを規制される。
本発明の充電台１００は、図１３や図１４に示すように、複数の充電台１００を前後方向に複数並べて配置した状態で、図１５（ＡＣアダプタユニット２００は図示せず）に示すように複数の電子機器３００を充電することができる。即ち、図１３や図１４に示すように、複数の充電台１００を前後方向に複数並べて配置した状態で、隣り合う充電台１００間の間隔は、後ろの充電台１００の設置部１１４に電子機器３００を設置したとき、電子機器３００が前に位置する充電台１００の筐体１１０に干渉しない間隔となっている。
【００２７】
ＡＣアダプタユニット２００は、充電台１００に電源供給するものであり、図３に示すように、ＡＣアダプタ（ＡＣ／ＤＣアダプタ）２１０と、ＡＣアダプタ２１０と充電台１００とを接続する可撓性の第１の電源コード２２０と、第１の電源コード２２０の一端に設けられ充電台１００の電源コネクタ１３０に嵌合される接続プラグ２３０と、ＡＣアダプタ２１０に着脱可能に取り付けられＡＣアダプタ２１０と商用電源とを接続する可撓性の第２の電源コード２４０と、第２の電源コード２４０の一端に設けられ商用電源のコンセント（図示しない）に嵌合される電源プラグ２５０とから構成されている。第１の電源コード２２０は、円形（または略円形）の断面形状を有している。
【００２８】
電子機器３００は、本実施例では、流通業、製造業、医療の現場などで用いられる業務用端末として構成され、電子機器３００（図２）を充電台１００に設置した際に充電台１００の充電端子１２０に接触する位置に配置された充電端子（図示しない）や、充電端子（図示しない）に接続された二次電池（図示しない）の他、タッチパネルディスプレイ３１０（図２）、筐体３２０（図２）、制御部（図示しない）、記憶部（図示しない）、ネットワークインタフェース（図示しない）、補助記憶装置（図示しない）などを備えている。
【００２９】
つぎに、本実施例の充電台１００に対するＡＣアダプタユニット２００（第１の電源コード２２０）の取り付け態様の例を図１０乃至図１２に基づいて説明する。
【００３０】
まず、図１０および図１１に示す例では、第１の電源コード２２０をコード巻き付け構造１４０に対して約一周半巻き付け、筐体１１０の右側部側の固定部１５０により第１の電源コード２２０を固定し、筐体１１０の右側部側から外部へ第１の電源コード２２０を導出している。
【００３１】
また、図１２に示す例では、第１の電源コード２２０をコード巻き付け構造１４０に対して約一周巻き付け、筐体１１０の左側部側の固定部１５０により第１の電源コード２２０を固定し、筐体１１０の左側部側から外部へ第１の電源コード２２０を導出している。
【００３２】
このように、本実施例の充電台１００では、充電台１００の設置環境などに応じて、充電台１００の左右両側部のいずれの側部から第１の電源コード２２０を導出させるかを任意に選択すればよい。
【００３３】
このようにして得られた本実施例の充電台１００では、筐体１１０の底面１１５にコード巻き付け構造１４０を設けることにより、コード巻き付け構造１４０に第１の電源コード２２０を巻き付けるだけで、第１の電源コード２２０や第２の電源コード２４０やＡＣアダプタ２１０に加わった力が充電台１００と第１の電源コード２２０との連結部分（本実施例の場合、電源コネクタ１３０および接続プラグ２３０）に直接的に伝わることが回避されるため、電源コネクタ１３０や接続プラグ２３０に損傷が生じることや、電源コネクタ１３０から接続プラグ２３０が抜けることを防止できる。
【００３４】
また、コード巻き付け構造１４０が筐体１１０の外面に配置されていることにより、使用者による第１の電源コード２２０の巻き付け作業時には、例えば筐体１１０のカバー開閉などの第１の電源コード２２０の巻き付け以外の作業を必要とすることなく、コード巻き付け構造１４０のコード巻き付け部１４２に第１の電源コード２２０を巻き付ける作業だけしか必要としないため、第１の電源コード２２０の巻き付け作業を簡便かつ容易に達成できる。
【００３５】
また、筐体１１０の底面１１５が平坦に形成されるとともに、鍔部１４３ａの上面と筐体１１０の底面１１５との上下方向の間隔Ｗ２が第１の電源コード２２０の直径より大きく設定され、鍔部１４３ａの外周縁とコード収容凹部１４１の外周縁との間の間隔Ｗ５が第１の電源コード２２０の直径より大きく設定されていることにより、コード巻き付け構造１４０に対する第１の電源コード２２０の巻き付け作業を行う際には、第１の電源コード２２０を筐体１１０の底面１１５に沿わせつつ、第１の電源コード２２０をコード巻き付け部１４２に巻き付けることが可能であるため、コード巻き付け構造１４０に対する第１の電源コード２２０の巻き付け作業を円滑かつ容易に達成できる。
【００３６】
また、コード巻き付け構造１４０が筐体１１０の底部に配置されていることにより、コード巻き付け構造１４０に第１の電源コード２２０を巻き付けた状態で、充電台１００を設置面に対して設置した場合には、コード巻き付け構造１４０や第１の電源コード２２０が筐体１１０の底部に位置することになるため、使用者の手などが第１の電源コード２２０に引っ掛かる危険性が減少するとともに、充電台１００の美観が損なわれることを回避できる。
【００３７】
また、コード巻き付け構造１４０や固定部１５０を設けることにより、充電台１００の設置環境などに応じて第１の電源コード２２０の余剰長を任意に調節できる。
【００３８】
また、筐体１１０の底面１１５にコード収容凹部１４１を凹設し、筐体１１０の底面１１５より上方側にも第１の電源コード２２０の収容スペースを確保することにより、第１の電源コード２２０の収容スペースを確保しつつ、筐体１１０の底面１１５からのコード巻き付け構造１４０（コード巻き付け部１４２や鍔部材１４３）の突出量を低減することが可能であるため、充電台１００の設置面から筐体１１０の底面１１５までの高さを低減できる。
【００３９】
また、コード巻き付け部１４２に第１の電源コード２２０を一周以上巻き付けた場合には、第１の電源コード２２０が相互に重なり合う部分ができるが、本実施例では、鍔部１４３ａの上面とコード収容凹部１４１の凹部底面との間隔Ｗ３が第１の電源コード２２０の直径の２倍よりも小さく設定されていることにより、前述した第１の電源コード２２０の重なり合う部分が、鍔部１４３ａの上面とコード収容凹部１４１の凹部底面との間で圧縮され、第１の電源コード２２０、鍔部１４３ａ、コード収容凹部１４１の間の摩擦が大きくなるため、コード巻き付け構造１４０による第１の電源コード２２０のコード保持力を向上できる。
【００４０】
また、コード巻き付け部１４２の外周面より水平方向外側に位置する鍔部１４３ａが円環状に形成されていることにより、コード巻き付け構造１４０に対する第１の電源コード２２０の巻き付け開始位置や巻き付け終了位置などの巻き付け状態に関わらず、コード巻き付け構造１４０からの第１の電源コード２２０の外れを鍔部１４３ａによって確実に阻止できる。
【００４１】
また、コード巻き付け部１４２の外周面から鍔部１４３ａの外縁までの水平方向の寸法Ｗ４が第１の電源コード２２０の直径より大きく設定されていることにより、コード巻き付け構造１４０から第１の電源コード２２０が外れることを鍔部１４３ａによって確実に防止できる。
【００４２】
また、第１の電源コード２２０を着脱可能に固定する固定部１５０が、筐体１１０の底面１１５における筐体１１０の左右両側部の付近にそれぞれ配置されていることにより、充電台１００の設置環境などに応じて、充電台１００の左右両側部のいずれの側部から第１の電源コード２２０を導出させるかを任意に選択できる。
【００４３】
また、筐体１１０の前端部の形状に適合する形状を有した収容凹部１７０を筐体１１０の背面に設けることにより、複数の充電台１００を前後方向に複数並べて配置した際に、前方に配置された筐体１１０の収容凹部１７０内に後方に配置された筐体１１０の前端部を収容することが可能であるため、複数の充電台１００を配置するために必要とされる設置面積を低減でき、また、収容凹部１７０の左右の内側面１７１によって、複数の充電台１００が左右方向に相対的にずれることを防止して、複数の充電台１００が前後方向に整列配置された状態を維持できる。
【００４４】
また、第１の電源コード２２０を着脱可能に固定する固定部１５０が、筐体１１０の底面１１５における筐体１１０の側部の付近に配置されていることにより、固定部１５０を利用して第１の電源コード２２０を固定した場合には、第１の電源コード２２０が充電台１００の側部から外部へ導出されるため、前述したように複数の充電台１００を前後方向に複数並べて配置する場合であっても、第１の電源コード２２０によって複数の充電台１００の前後方向における整列配置が阻害されることを回避できる。
【符号の説明】
【００４５】
１００    ・・・  充電台
１１０    ・・・  筐体
１１１    ・・・  台座部
１１２    ・・・  前面支持部
１１３    ・・・  背面支持部
１１４    ・・・  設置部
１１５    ・・・  筐体の底面
１２０    ・・・  充電端子
１３０    ・・・  電源コネクタ
１４０    ・・・  コード巻き付け構造
１４１    ・・・  コード収容凹部
１４２    ・・・  コード巻き付け部
１４３    ・・・  鍔部材
１４３ａ  ・・・  鍔部
１４４    ・・・  固定ネジ
１５０    ・・・  固定部
１５１    ・・・  ホルダ部
１５２    ・・・  被係止部
１５３    ・・・  係止部
１５４    ・・・  取付部
１６０    ・・・  脚部
１７０    ・・・  収容凹部
１７１    ・・・  内側面
２００    ・・・  ＡＣアダプタユニット
２１０    ・・・  ＡＣアダプタ
２２０    ・・・  第１の電源コード
２３０    ・・・  接続プラグ
２４０    ・・・  第２の電源コード
２５０    ・・・  電源プラグ
３００    ・・・  電子機器
３１０    ・・・  タッチパネルディスプレイ
３２０    ・・・  筐体
【図１】
0005204922.tif 000002
【図２】
0005204922.tif 000003
【図３】
0005204922.tif 000004
【図４】
0005204922.tif 000005
【図５】
0005204922.tif 000006
【図６】
0005204922.tif 000007
【図７】
0005204922.tif 000008
【図８】
0005204922.tif 000009
【図９】
0005204922.tif 000010
【図１０】
0005204922.tif 000011
【図１１】
0005204922.tif 000012
【図１２】
0005204922.tif 000013
【図１３】
0005204922.tif 000014
【図１４】
0005204922.tif 000015
【図１５】
0005204922.tif 000016